(57)【要約】【課題】冷却運転および加熱運転をローカルな操作によって実現できて、メンテナンスを容易に行うことができるヒートポンプ式チラーおよび空調機を提供する。【解決手段】リモート制御とローカル制御を切換可能な第１スイッチ５１と、冷水運転と温水運転を切換可能な第２スイッチ５２を有する操作部を、圧縮機と同一のパッケージ内に設ける。【選択図】図２
2014145526.tif 000002
【特許請求の範囲】
【請求項１】
圧縮機の吐出冷媒の流れ方向を切り換えて冷却または加熱を行うヒートポンプ式チラーにおいて、
リモート制御とローカル制御を切換可能なリモートローカル切換手段と、冷水運転と温水運転を切換可能な冷温水切換手段を有する操作部を、圧縮機と同一のパッケージ内に設けたことを特徴とするヒートポンプ式チラー。
【請求項２】
圧縮機の吐出冷媒の流れ方向を切り換えて冷却または加熱を行うヒートポンプ式空調機において、
リモート制御とローカル制御を切換可能なリモートローカル切換手段と、冷房と暖房を切換可能な冷暖房切換手段を有する操作部を、圧縮機と同一のパッケージ内に設けたことを特徴とするヒートポンプ式空調機。
【発明の詳細な説明】
【技術分野】
【０００１】
本発明は、ヒートポンプ式チラーおよびヒートポンプ式空調機に関する。
【背景技術】
【０００２】
従来、リモート制御とローカル制御を切り替え可能な装置としては、特開２００６−０８１２９３号公報（特許文献１）に記載されたインバータ装置がある。このインバータ装置は、交流電源機を可変速駆動するようになっている。このインバータ装置は、リモート制御と、ローカル制御を切り替える操作部を有している。
【０００３】
このインバータ装置は、操作部でローカル制御を選択すると、運転信号または停止信号を、インバータ装置に直接を入力できるようになっている。このようにして、現場の作業員等がメンテナンス等を容易に行うことができるようにしている。
【０００４】
しかしながら、上記従来のインバータ装置では、ローカルな操作では、インバータ装置の運転または停止しか制御できないので、ヒートポンプのように少なくとも２種類の運転状態が存在する機器の場合、ローカルな操作で、メンテナンスを十分に行うことができないという問題がある。
【先行技術文献】
【特許文献】
【０００５】
【特許文献１】特開２００６−０８１２９３号公報
【発明の概要】
【発明が解決しようとする課題】
【０００６】
そこで、本発明の課題は、冷水運転および温水運転を、ローカルな操作によって実現できて、メンテナンスを容易に行うことができるヒートポンプ式チラーを提供することにあり、冷房および暖房の運転を、ローカルな操作によって実現できて、メンテナンスを容易に実現できるヒートポンプ式空調機を提供することにある。
【課題を解決するための手段】
【０００７】
上記課題を解決するため、本発明のヒートポンプ式チラーは、
圧縮機の吐出冷媒の流れ方向を切り換えて冷却または加熱を行うヒートポンプ式チラーにおいて、
リモート制御とローカル制御を切換可能なリモートローカル切換手段と、冷水運転と温水運転を切換可能な冷温水切換手段を有する操作部を、圧縮機と同一のパッケージ内に設けたことを特徴としている。
【０００８】
尚、本発明では、圧縮機と同一のパッケージ内に設けられた操作部を用いた制御を、ローカル制御という。また、圧縮機と同一のパッケージ外に位置に存在する操作部を用いた制御をリモート制御といい、パッケージからの距離の大小は関係がない。
【０００９】
本発明によれば、リモート制御とローカル制御を切換可能なリモートローカル切換手段と、冷水運転と温水運転を切換可能な冷温水切換手段を有する操作部を、圧縮機と同一のパッケージ内に設けている。したがって、パッケージ内の各機器のメンテナンスを行う際、パッケージ内にある操作部を操作するだけで、ローカル制御を選択できるだけでなく、冷水運転と温水運転も自在に行うことができる。したがって、メンテナンスを行う際、パッケージから離れて位置する中央監視装置（中央監視盤）を介して制御信号を送信する必要が一切ないから、メンテナンスを格段に容易かつ迅速に行うことができる。
【００１０】
また、本発明のヒートポンプ式空調機は、
圧縮機の吐出冷媒の流れ方向を切り換えて冷却または加熱を行うヒートポンプ式空調機において、
リモート制御とローカル制御を切換可能なリモートローカル切換手段と、冷房と暖房を切換可能な冷暖房切換手段を有する操作部を、圧縮機と同一のパッケージ内に設けたことを特徴としている。
【００１１】
尚、本発明では、圧縮機と同一のパッケージ内に設けられた操作部を用いた制御を、ローカル制御という。また、圧縮機と同一のパッケージ外に位置に存在する操作部を用いた制御をリモート制御といい、パッケージからの距離の大小は関係がない。
【００１２】
本発明によれば、リモート制御とローカル制御を切換可能なリモートローカル切換手段と、冷房と暖房を切換可能な冷暖房切換手段を有する操作部を、圧縮機と同一のパッケージ内に設けている。したがって、パッケージ内の各機器のメンテナンスを行う際、パッケージ内にある操作部を操作するだけで、ローカル制御を選択できるだけでなく、冷房と暖房の運転も自在に行うことができる。したがって、メンテナンスを行う際、パッケージから離れて位置する中央監視装置（中央監視盤）を介して制御信号を送信する必要が一切ないから、メンテナンスを格段に容易かつ迅速に行うことができる。
【発明の効果】
【００１３】
本発明によれば、冷水運転および温水運転を、ローカルな操作によって実現できて、メンテナンスを容易に行うことができるヒートポンプ式チラーを実現できる。また、本発明によれば、冷房および暖房の運転を、ローカルな操作によって実現できて、メンテナンスを容易に実現できるヒートポンプ式空調機を実現できる。
【図面の簡単な説明】
【００１４】
【図１】本発明の一実施形態のヒートポンプ式チラーの構成図である。
【図２】圧縮機を含むパッケージの外壁を外してなる模式斜視図である。
【図３】図２における操作台の周辺の拡大模式斜視図である。
【発明を実施するための形態】
【００１５】
以下、本発明を図示の形態により詳細に説明する。
【００１６】
図１は、本発明の一実施形態のヒートポンプ式チラーの構成図である。
【００１７】
このヒートポンプ式チラー（以下、単にチラーという）は、２つの圧縮機１、オイルセパレータ２、四方弁３、２つのＡ／Ｒ熱交換器（空気−冷媒熱交換器）４、ブリッジ回路５、レシーバ６、３つの主膨張弁７、２つの補助膨張弁８、Ｗ／Ｒ熱交換器（水−冷媒熱交換器）９、補助蒸発器１０、アキュームレータ１１、及び冷媒経路１２を備えている。冷媒経路１２は、これらの機器１−１１を接続している。尚、図１において、一点鎖線は、パッケージの外面を示している。したがって、一点鎖線内にある各機器は、圧縮機１と同一のパッケージ内に存在している。
【００１８】
圧縮機１は、冷媒を冷媒経路１２に沿って流すようになっている。オイルセパレータ２は、圧縮機１から吐出される冷媒からオイルを分離するようになっている。四方弁３は、加熱運転又は冷却運転が実行されるように、冷媒経路１２における冷媒の流れ方向を切り替えるようになっている。Ａ／Ｒ熱交換器４は、冷却運転又は加熱運転の実行に応じて凝縮器又は蒸発器として機能し、外気と冷媒との間で熱交換を行うようになっている。
【００１９】
ブリッジ回路５は、加熱運転及び冷却運転のどちらが実行されていても、補助蒸発器１０が蒸発器として機能するように冷媒の流れを誘導するようになっている。レシーバ６は、余剰の冷媒を必要に応じて蓄えるようになっている。主膨張弁７は、Ａ／Ｒ熱交換器４とＷ／Ｒ熱交換器９との間を流れる冷媒を膨張させるようになっている。補助膨張弁８は、Ａ／Ｒ熱交換器４又はＷ／Ｒ熱交換器９と、補助蒸発器１０との間を流れる冷媒を膨張させるようになっている。
【００２０】
Ｗ／Ｒ熱交換器９は、冷却運転又は加熱運転の実行に応じて蒸発器又は凝縮器として機能し、水と冷媒との間で熱交換を行うようになっている。Ｗ／Ｒ熱交換器９には、冷媒経路１２及び水経路２０が並列に配置されている。補助蒸発器１０は、発熱源からの高温熱媒体と、冷媒との間で熱交換を行うようになっている。
【００２１】
Ｗ／Ｒ熱交換器９は、図示しない給水ポンプユニットと接続されている。Ｗ／Ｒ熱交換器９は、水導入口と、水排出口とを有する。Ｗ／Ｒ熱交換器９の水導入口は、給水ポンプユニットの水吐出口と配管を介して接続されている。また、Ｗ／Ｒ熱交換器９の水排出口は、給水ポンプユニットの水導入口と配管を介して接続されている。チラーは、給水ポンプユニットを介して導入される水を、加熱又は冷却し、加熱又は冷却された水を、給水ポンプユニット側に排出するようになっている。
【００２２】
図１において、参照番号３８は、パッケージの外壁パネルに存在する水導入側の開口を示し、参照番号３９は、パッケージの外壁パネルに存在する水排出側の開口を示す。開口３８に給水ポンプユニットの水吐出口側からの配管を接続することにより、Ｗ／Ｒ熱交換器９の水導入口を、給水ポンプユニットの水吐出口と配管で接続できるようになっている。また、開口３９に給水ポンプユニットの水導入口側からの配管を接続することにより、Ｗ／Ｒ熱交換器９の水排出口を、給水ポンプユニットの水導入口と配管で接続できるようになっている。
【００２３】
本実施形態では、発熱源は圧縮機１を駆動するエンジンであり、高温熱媒体はエンジン排熱を運ぶエンジン冷却水である。補助蒸発器１０には、冷媒経路１２及び冷却水経路３０が並列に配置されている。アキュームレータ１１は、冷媒を一時的に蓄え、冷媒の脈動を抑制するようになっている。
【００２４】
チラーは、２つのサービスポート１３、１４を備えている。サービスポート１３、１４は、冷媒経路１２に開口するポートであり、冷媒を補給する又は冷媒を排出するために用いられる。サービスポート１３は、Ａ／Ｒ熱交換器４とブリッジ回路５の間に配置されている。一方、サービスポート１４は、Ｗ／Ｒ熱交換器９とブリッジ回路５の間に配置されている。
【００２５】
図２は、圧縮機を含むパッケージの外壁パネルを外してなる模式斜視図である。
【００２６】
図２に示すように、このパッケージは、略直方体の形状を有している。パッケージの略直方体の骨組みは、金属製のフレームで構成されている。このパッケージ内には、圧縮機１（図１参照）と、操作台４０が配置されている。
【００２７】
図２に示すように、操作台４０は、パッケージ内に配置される機器の上面に配置され、操作台４０の上方に部位が存在しないようになっている。このことから、作業員等のユーザが、操作台４０にある操作部にアクセスし易いようになっており、操作部を操作し易いようになっている。このパッケージには、圧縮機１の他に、図１で説明した各器機が配置されている。図２の斜視図においては、四方弁３と、Ｗ／Ｒ熱交換器９とが視認可能になっている。
【００２８】
図３は、図２における操作台４０の周辺の拡大模式斜視図である。
【００２９】
図３に示すように、この操作台４０は、第１スイッチ５１と、第２スイッチ５２と、第３スイッチ５３を有する。第１スイッチ５１で、ローカル制御とリモート制御を切換できるようになっている。また、第２スイッチ５２では、四方弁３を切り換えて、冷媒の流れの向きを切り換えることができるようになっている。また、第３スイッチ５３では、圧縮機１の運転と停止を切換できるようになっている。第１、第２および第３スイッチ５１,５２,５３は、操作部を構成している。また、第１スイッチ５１は、リモートローカル切換手段を構成し、第２スイッチ５２は、冷温水切換手段を構成している。
【００３０】
チラーは、ＣＰＵ（Central Processing Unit）を有する図示しない制御装置を有している。この制御装置には、操作部からの信号が入力されるようになっており、チラーから離れた場所に存在する中央監視装置（ホストコントローラ）からの信号が、図示しない通信伝送路を介して入力されるようになっている。また、この制御装置は、例えば、圧縮機１や、四方弁３や、膨張弁７等の機器に信号を出力するようになっている。そして、例えば、圧縮機１の回転数、駆動、停止を制御したり、四方弁３を切換駆動したり、膨張弁７の開度を制御したりしている。
【００３１】
上記制御装置は、操作部からの信号を受けるリモートローカル切換制御部を有する。リモートローカル切換制御部は、第１スイッチからの信号により、中央監視装置からの信号が、有効になる一方、操作部からの信号が、無効になるリモート制御モードと、中央監視装置からの信号が、無効になる一方、操作部からの信号が、有効になるローカル制御モードを切り換えるようになっている。
【００３２】
リモート制御モードが選択されているときには、第２および第３スイッチ５２,５３からの信号が、無効になる一方、ローカル制御モードが選択されているときには、第２および第３スイッチ５２,５３からの信号が、有効になる。リモートローカル切換制御部は、メカニカルスイッチや、スイッチング素子（トランジスタ）を用いた周知のスイッチング回路からなっている。
【００３３】
第１スイッチ５１がローカル側に切り換えられて、ローカル制御モードが選択されているときに、第２スイッチ５２で加熱運転を選択すると、制御装置から四方弁３に制御信号が送られて、冷媒の流れの向きが加熱運転の方向に定められるようになっている。そして、この状態で、第３スイッチ５３で運転を選択すると、圧縮機１が駆動して、Ｗ／Ｒ熱交換器９を流れる水を加熱する加熱運転が実行されるようになっている。
【００３４】
加熱運転では、冷媒は、圧縮機１から、オイルセパレータ２、四方弁３、Ｗ／Ｒ熱交換器９、ブリッジ回路５、レシーバ６、主膨張弁７、ブリッジ回路５、Ａ／Ｒ熱交換器４、四方弁３、及びアキュームレータ１１を経由して流され、圧縮機１に戻るようになっている。
【００３５】
また、加熱運転では、冷媒を加熱する熱源としてエンジン排熱が利用される場合がある。この場合、冷補助膨張弁８が開かれる。冷補助膨張弁８が開かれているとき、冷媒は、更に、レシーバ６から補助膨張弁８を流れるように分岐し、補助蒸発器１０を経由し、アキュームレータ１１で合流し、圧縮機１に戻るようになっている。
【００３６】
一方、第１スイッチ５１がローカル側に切り換えられて、ローカル制御モードが選択されているときに、第２スイッチ５２で冷却運転を選択すると、制御装置から四方弁３に制御信号が送られて、冷媒の流れの向きが冷却運転の方向に定められるようになっている。
【００３７】
冷却運転では、冷媒は、圧縮機１から、オイルセパレータ２、四方弁３、Ａ／Ｒ熱交換器４、ブリッジ回路５、レシーバ６、主膨張弁７、ブリッジ回路５、Ｗ／Ｒ熱交換器９、四方弁３、及びアキュームレータ１１を経由して流され、圧縮機１に戻るようになっている。冷却運転では、エンジン排熱を利用しないので、主膨張弁８は閉じられており、冷媒は補助蒸発器１０を流れないようになっている。
【００３８】
また、第１スイッチ５１がローカル側に切り換えられて、ローカル制御モードが選択されているときに、第３スイッチ５３で停止を選択すると、圧縮機１の駆動が停止して、加熱運転も冷却運転も実行されないようになっている。
【００３９】
上記実施形態によれば、リモート制御とローカル制御を切換可能な第１スイッチ５１と、冷水運転と温水運転を切換可能な第２スイッチ５２を有する操作部を、圧縮機１と同一のパッケージ内に設けている。したがって、パッケージ内の各機器のメンテナンスを行う際、パッケージ内にある操作部を、操作するだけで、ローカル制御を選択できるだけでなく、冷水運転と温水運転も自在に行うことができる。したがって、メンテナンスを行う際、パッケージから離れて位置する中央監視装置を介して制御信号を送信する必要が一切ないから、メンテナンスを格段に容易かつ迅速に行うことができる。
【００４０】
尚、上記実施形態では、モート制御とローカル制御を切換可能なリモートローカル切換手段と、冷水運転と温水運転を切換可能な冷温水切換手段を有する操作部を、圧縮機と同一のパッケージ内に設けることを、ヒートポンプ式チラーで実現した。しかし、この構成は、ヒートポンプ式チラーでなくてヒートポンプ式空調機でも実現できる。詳しくは、図１において、本質的に次の点だけを変更すれば、上記実施形態のヒートポンプ式チラーと同様の作用効果を奏するヒートポンプ式空調機を構成できる。
【００４１】
すなわち、Ｗ／Ｒ熱交換器９を室内に配置して室内機とする一方、他の機器を室外に配置して室外機とする。このようにして、室外機と、室内機を別のパッケージで構成し、室外機を、圧縮機を内に配置するパッケージで構成する。また、Ｗ／Ｒ熱交換器９から水導入口および水排出口を省略して水の出入りができないようにする一方、空気をＷ／Ｒ熱交換器９から室内に流動させるファンを設置する。
【００４２】
一方、その他の点、例えば、リモート制御とローカル制御を切換可能なリモートローカル切換手段と、冷房と暖房を切換可能な冷暖房切換手段を有する操作部を、圧縮機と同一のパッケージ内（この場合、室外機）に設ける等の点は、上記ヒートポンプ式チラーで説明した構成と同一の構成を採用する。このようにすれば、ヒートポンプ式チラーで達成された作用効果を、ヒートポンプ式空調機でも実現できる。
【符号の説明】
【００４３】
１  圧縮機
３  四方弁
４０  操作台
５１  第１スイッチ
５２  第２スイッチ
５３  第３スイッチ
【図１】
2014145526.tif 000003
【図２】
2014145526.tif 000004
【図３】
2014145526.tif 000005